(57)【要約】【課題】  光源点灯中はランプハウスの顕微鏡本体への接続をロックし、ロック解除とともに光源を強制的に消灯するようにできる顕微鏡装置を提供する。【解決手段】  標本７に照明光を照射する照明光学系、照明光が照射される標本７より発せられる検出光を取得する観察光学系を有する顕微鏡本体１と、照明光学系に照明光を供給する光源１２を有するランプハウス１１と、光源１２に電源を供給する電源部１６と、顕微鏡本体１とランプハウス１１を接続する接続手段１４に、これらの接続状態をロックするロック手段と、このロック手段のロック動作に応じて電源部１６から光源１２の入切りを制御する電源スイッチを設ける。【選択図】      図１
2005326692.tif 000002
【特許請求の範囲】
【請求項１】
標本に照明光を照射する照明光学系と、前記照明光が照射される前記標本より発せられる検出光を取得する観察光学系を有する顕微鏡本体と、
前記照明光学系に照明光を供給する光源を有するランプハウスと、
前記光源に電源を供給する電源部と、
前記顕微鏡本体と前記ランプハウスを接続可能とする接続手段と、
前記接続手段による前記顕微鏡本体と前記ランプハウスの接続状態をロックするロック手段と、
前記ロック手段のロック動作に応じて前記電源部から前記光源への給電を制御する給電制御手段と
を具備したことを特徴とする顕微鏡装置。
【請求項２】
前記接続手段は、前記顕微鏡本体と前記ランプハウスにそれぞれ設けられた中空部を有する突出部を具備し、一方の突出部の中空部に他方の突出部を挿入可能にしたことを特徴とする請求項１記載の顕微鏡装置。
【請求項３】
前記接続手段は、前記顕微鏡本体と前記ランプハウスのそれぞれの突出部周面であって、一方の突出部の中空部に他方の突出部を挿入した状態で、それぞれの位置が一致するように形成された穴部を有し、
前記ロック手段は、前記穴部に挿通されるロック部材を有し、
前記給電制御手段は、前記穴部に挿通されるロック部材に応動して前記電源部から前記光源への給電を可能としたことを特徴とする請求項２記載の顕微鏡装置。
【請求項４】
前記穴部は、ネジ穴で、
前記ロック部材は、前記ネジ穴にねじ込まれるネジ式ロック部材からなることを特徴とする請求項３記載の顕微鏡装置。
【請求項５】
前記ロック手段は、前記穴部に挿通されるロック部材と、
前記接続手段の接続状態を検出する状態検出手段の状態情報と前記電源部のメインスイッチの状態情報に応じて前記ロック部材の前記穴部への挿脱を駆動する駆動手段を有することを特徴とする請求項３記載の顕微鏡装置。
【請求項６】
前記駆動手段は、メインスイッチの状態情報に応じた前記ロック部材の前記穴部から脱出のための駆動を所定時間遅延させるタイマを有することを特徴とする請求項５記載の顕微鏡装置。
【請求項７】
前記給電制御手段は、押圧型スイッチを有し、前記ロック部材により押圧されると、前記電源部から前記光源への給電路を形成することを特徴とする請求項１乃至６のいずれかに記載の顕微鏡装置。
【請求項８】
前記給電制御手段は、発光部と受光部を備えたセンサスイッチを有し、前記前記ロック部材により前記受光部での光の受光状態が変化されると、前記電源部から前記光源への給電路を形成することを特徴とする請求項１乃至６のいずれかに記載の顕微鏡装置。
【請求項９】
前記給電制御手段は、前記電源部のメインスイッチの状態に応じた表示を行なう表示手段を有することを特徴とする請求項１乃至８のいずれかに記載の顕微鏡装置。
【請求項１０】
前記給電制御手段は、前記電源部から前記光源への給電路の状態を検出する検出手段を有し、該検出手段の検出出力により前記電源部のメインスイッチの制御を可能にすることを特徴とする請求項１乃至９のいずれかに記載の顕微鏡装置。
【請求項１１】
前記給電制御手段は、前記ランプハウスの振動を検出する振動検出手段を有し、該振動検出手段の検出出力により前記電源から前記光源への給電をしゃ断可能とすることを特徴とする請求項１乃至９のいずれかに記載の顕微鏡装置。
【発明の詳細な説明】
【技術分野】
【０００１】
本発明は、外付けのランプハウスを有する顕微鏡装置に関するものである。
【背景技術】
【０００２】
顕微鏡装置には、標本を照明するための照明光を発生するハロゲンランプや水銀灯などの光源が用いられている。
【０００３】
ところで、このような光源を内蔵した顕微鏡用のランプハウスは、ランプの寿命、メンテナンス、ランプ種別の交換などを簡単に行なうことができることのが望ましく、このため、一般に、顕微鏡本体に別途に設けられる外付け形式のものが多く用いられている。
【０００４】
また、ランプハウスに内蔵される光源には大きな電力が必要であり、このため、光源に用いられる電源は、顕微鏡本体の各種制御に用いられる電源などと全く独立して設けられている。このため、通常、ランプハウスは、顕微鏡本体に装着しなくても、単独で光源を点灯することができる。ところが、このように単独で光源を点灯できることは、顕微鏡本体に装着していない状態で、不必要に光源が点灯したままになることがあり、無駄に電力を消費するという問題を生じる。
【０００５】
そこで、従来、このような問題点を解決する方法として、特許文献１に開示されるように、顕微鏡本体に接続されるランプハウスとの接続状態を検知する検知手段を設け、顕微鏡本体にランプハウスが装着しているときのみ光源へ電源供給を行うようにしている。このような方式によると、ランプハウス単体では光源が点灯することがなく、また、顕微鏡の使用中に誤ってランプハウスを取外した場合は、自動的に光源を消灯することができる。
【特許文献１】特開平１０−３３３０４５公報
【発明の開示】
【発明が解決しようとする課題】
【０００６】
しかしながら、特許文献１のものは、光源が点灯している状態でもランプハウスの取外しはできるので、ランプハウスを取外した直後に自動的に光源が消灯されるとしても、この間、残光として強い光が開口から漏れ出すことがあり、これにより光源の種類によっては、周囲に有害な紫外光などを同時に出射してしまうという問題があった。このことは、特に、大電力を有する光源のように、電源を切ってから完全に消灯するまでに時間がかかるようなものについては、そのための対策が重要になっている。
【０００７】
また、主電源を切らずとも光源が消えることから電源の切り忘れの原因にもなり、このため待機電力が発生することがあり、省電力性に問題を生じることもあった。
【０００８】
本発明は上記事情に鑑みてなされたもので、光源点灯中はランプハウスの顕微鏡本体への接続をロックし、ロック解除とともに光源を強制的に消灯するようにできる顕微鏡装置を提供することを目的とする。
【課題を解決するための手段】
【０００９】
請求項１記載の発明は、標本に照明光を照射する照明光学系と、前記照明光が照射される前記標本より発せられる検出光を取得する観察光学系を有する顕微鏡本体と、前記照明光学系に照明光を供給する光源を有するランプハウスと、前記光源に電源を供給する電源部と、前記顕微鏡本体と前記ランプハウスを接続可能とする接続手段と、前記接続手段による前記顕微鏡本体と前記ランプハウスの接続状態をロックするロック手段と、前記ロック手段のロック動作に応じて前記電源部から前記光源への給電を制御する給電制御手段とを具備したことを特徴としている。
【００１０】
請求項２記載の発明は、請求項１記載の発明において、前記接続手段は、前記顕微鏡本体と前記ランプハウスにそれぞれ設けられた中空部を有する突出部を具備し、一方の突出部の中空部に他方の突出部を挿入可能にしたことを特徴としている。
【００１１】
請求項３記載の発明は、請求項２記載の発明において、前記接続手段は、前記顕微鏡本体と前記ランプハウスのそれぞれの突出部周面であって、一方の突出部の中空部に他方の突出部を挿入した状態で、それぞれの位置が一致するように形成された穴部を有し、前記ロック手段は、前記穴部に挿通されるロック部材を有し、前記給電制御手段は、前記穴部に挿通されるロック部材に応動して前記電源部から前記光源への給電を可能としたことを特徴としている。
【００１２】
請求項４記載の発明は、請求項３記載の発明において、前記穴部は、ネジ穴で、前記ロック部材は、前記ネジ穴にねじ込まれるネジ式ロック部材からなることを特徴としている。
【００１３】
請求項５記載の発明は、請求項３記載の発明において、前記ロック手段は、前記穴部に挿通されるロック部材と、前記接続手段の接続状態を検出する状態検出手段の状態情報と前記電源部のメインスイッチの状態情報に応じて前記ロック部材の前記穴部への挿脱を駆動する駆動手段を有することを特徴としている。
【００１４】
請求項６記載の発明は、請求項５記載の発明において、前記駆動手段は、メインスイッチの状態情報に応じた前記ロック部材の前記穴部から脱出のための駆動を所定時間遅延させるタイマを有することを特徴としている。
【００１５】
請求項７記載の発明は、請求項１乃至６のいずれかに記載の発明において、前記給電制御手段は、押圧型スイッチを有し、前記ロック部材により押圧されると、前記電源部から前記光源への給電路を形成することを特徴としている。
【００１６】
請求項８記載の発明は、請求項１乃至６のいずれかに記載の発明において、前記給電制御手段は、発光部と受光部を備えたセンサスイッチを有し、前記前記ロック部材により前記受光部での光の受光状態が変化されると、前記電源部から前記光源への給電路を形成することを特徴としている。
【００１７】
請求項９記載の発明は、請求項１乃至８のいずれかに記載の発明において、前記給電制御手段は、前記電源部のメインスイッチの状態に応じた表示を行なう表示手段を有することを特徴としている。
【００１８】
請求項１０記載の発明は、請求項１乃至９のいずれかに記載の発明において、前記給電制御手段は、前記電源部から前記光源への給電路の状態を検出する検出手段を有し、該検出手段の検出出力により前記電源部のメインスイッチの制御を可能にすることを特徴としている。
【００１９】
請求項１１記載の発明は、請求項１乃至９のいずれかに記載の発明において、前記給電制御手段は、前記ランプハウスの振動を検出する振動検出手段を有し、該振動検出手段の検出出力により前記電源から前記光源への給電をしゃ断可能とすることを特徴としている。
【発明の効果】
【００２０】
本発明によれば、光源点灯中はランプハウスの顕微鏡本体への接続をロックし、ロック解除とともに光源を強制的に消灯するようにできる顕微鏡装置を提供できる。
【発明を実施するための最良の形態】
【００２１】
以下、本発明の実施の形態を図面に従い説明する。
【００２２】
（第１の実施の形態）
図１は、本発明の第１の実施の形態に係る顕微鏡装置の概略構成を示している。
【００２３】
図において、１は顕微鏡本体で、この顕微鏡本体１は、ベース部１ａに対し直立した胴部１ｂを有し、この胴部１ｂの先端には、ベース部１ａと平行に配置された投光管部２を有している。
【００２４】
投光管部２は、後述する光源１２からの照明光の光路上に照明光学系３とダイクロイックミラー４が配置されている。ダイクロイックミラー４は、照明光をを重力方向に９０度折り曲げ、後述する標本７からの光を透過するような特性を有している。
【００２５】
ダイクロイックミラー４により折り曲げられた光路には、対物レンズ５が配置されている。対物レンズ５は、投光管部２の先端に設けられたレボルバ６に複数個(図示では２個)設けられ、選択的に光路上に挿入可能にしている。
【００２６】
対物レンズ５と対向する位置には、標本７が配置されている。この標本７は、顕微鏡本体１の胴部１ｂに設けられたステージ８上に載置されている。
【００２７】
ダイクロイックミラー４を透過した重力方向と反対側の光路上には、投光管部２の先端に設けられた鏡筒９が配置されている。鏡筒９は、観察光学系を構成する不図示の結像レンズとプリズムを有するとともに、標本７からの光（観察光）を観察する接眼レンズ１０が取付けられている。
【００２８】
顕微鏡本体１には、ランプハウス１１が接続可能に設けられている。ランプハウス１１は、光源１２と、この光源１２から発せられる光を平行光に変換するレンズ系１３が設けられたもので、接続手段１４を介して顕微鏡本体１に接続されている。
【００２９】
ランプハウス１１には、ケーブル１５を介して電源部１６が接続されている。電源部１６には、ＡＣケーブル１７を介してコンセント１８が接続されている。コンセント１８は、不図示の商用電源から供給される電力をＡＣケーブル１７を介して電源部１６に供給するものである。電源部１６は、商用電源からランプ点灯用の電源を生成し、ケーブル１５を介して光源１２に供給する。また、電源部１６には、メインスイッチ１９が設けられている。このメインスイッチ１９は、光源１２への電源供給のＯＮ／ＯＦＦを切り換えるものである。
【００３０】
次に、図２（ａ）（ｂ）および図３（ａ）（ｂ）は、接続手段１４の概略構成を示すものである。この場合、接続手段１４は、顕微鏡本体１側の接続部１４１とランプハウス１１側の接続部１４２から構成されている。顕微鏡本体１側の接続部１４１は、図２（ａ）（ｂ）に示すように突出部１４１ａを有している。この突出部１４１ａは、円筒状をなし、その中空部を投光管部２内部に連通している。突出部１４１ａの中空部内周面には、中心線に沿った方向に溝部１４１ｂが形成されている。また、突出部１４１ａの周面には、ロック用ネジ穴１４１ｃが貫通して形成されている。
【００３１】
一方、ランプハウス１１側の接続部１４２も、図３（ａ）（ｂ）に示すように突出部１４２ａを有している。この突出部１４２ａは、円筒状をなし、その中空部をランプハウス１１内部に連通している。突出部１４２ａは、その外径寸法を、突出部１４１ａの中空部の内径寸法より僅かに小さく形成され、突出部１４１ａの中空部に挿通可能になっている。また、突出部１４２ａの外周面には、中心線に沿った方向に、溝部１４１ｂに対応する突起部１４２ｂが形成されている。この突起部１４２ｂは、突出部１４２ａを突出部１４１ａの中空部に挿入する際に、溝部１４１ｂに挿入され、ランプハウス１１の顕微鏡本体１への接続時の取付け方向を決定するとともに、突出部１４２ａの挿入をスムーズにするためのものである。また、突出部１４２ａの周面には、ロック用ネジ穴１４２ｃが貫通して形成されている。このロック用ネジ穴１４２ｃは、突出部１４２ａを突出部１４１ａの中空部に確実に挿入した状態で、突出部１４１ａ側のロック用ネジ穴１４１ｃと一致する位置に設けられている。ロック用ネジ穴１４２ｃ中には、電源スイッチ２０が配置されている。
【００３２】
ロック用ネジ穴１４１ｃと１４２ｃは、図４に示すようにそれぞれの位置が一致した状態で、ロック手段としてのネジ式ロック部材２１がねじ込まれる。このネジ式ロック部材２１は、ロック用ネジ穴１４１ｃと１４２ｃにねじ込むことで、顕微鏡本体１側の接続部１４１とランプハウス１１側の接続部１４２の接続をロックするとともに、そのねじ込み量により電源スイッチ２０のＯＮ／ＯＦＦを切り換えるものである。
【００３３】
図５（ａ）（ｂ）は、ネジ式ロック部材２１のねじ込み量と電源スイッチ２０のＯＮ／ＯＦＦの関係を示すもので、例えば、同図（ａ）に示すようにネジ式ロック部材２１のねじ込みが十分でない場合（またはネジ式ロック部材２１がねじ込まれていない場合）、電源スイッチ２０はＯＦＦとなり、同図（ｂ）に示すようにネジ式ロック部材２１の矢印方向のねじ込みが十分の場合は、ネジ式ロック部材２１により電源スイッチ２０が押圧されてＯＮに切換えられるようになっている。
【００３４】
図６は、ランプハウス１１と電源部１６のそれぞれの電気回路の概略構成を示している。この場合、電源部１６には、電力変換部１６１が設けられている。電力変換部１６１の入力端子には、メインスイッチ１９を介してコンセント１８が接続され、商用電源が供給されている。電力変換部１６１は、商用電源より入力される交流電力をランプ点灯用の所定電圧の直流電力生成するものである。また、電力変換部１６１の出力端子には、ケーブル１５を介してランプハウス１１内の光源１２と給電制御手段としての電源スイッチ２０の直列回路が接続されている。
【００３５】
次に、このように構成された実施の形態の作用を説明する。
【００３６】
まず、顕微鏡本体１にランプハウス１１が接続されていない場合は、接続部１４１の突出部１４１ａの中空部に接続部１４２の突出部１４２ａが挿入されておらず、ネジ式ロック部材２１は、ロック用ネジ穴１４１ｃと１４２ｃにねじ込まれることがないので、図５（ａ）に示すように電源スイッチ２０はＯＦＦ状態にある。これにより、電源部１６において、仮に、メインスイッチ１９をＯＮにしても、電力変換部１６１から直流電力が光源１２に供給されることがないので、光源１２は点灯することがない。
【００３７】
一方、顕微鏡本体１にランプハウス１１を接続した場合、つまり、接続部１４１の突出部１４１ａの中空部に接続部１４２の突出部１４２ａを挿入し、ロック用ネジ穴１４１ｃと１４２ｃのそれぞれの位置を一致させた状態で、ネジ式ロック部材２１をねじ込んでロック状態にすると、図５（ｂ）に示すようにネジ式ロック部材２１のねじ込み量が十分になったところで、電源スイッチ２０がＯＮに切換わる。この状態で、電源部１６のメインスイッチ１９をＯＮにすると、電力変換部１６１により電源スイッチ２０を介して光源１２に直流電力が供給され、光源１２を点灯させる。
【００３８】
また、この状態から、ランプハウス１１を顕微鏡本体１から取外すため、ネジ式ロック部材２１をロック用ネジ穴１４１ｃ、１４２ｃから抜き取りロックを解除すると、図５（ａ）に示すように電源スイッチ２０がＯＦＦとなる。これにより、電力変換部１６１から光源１２への直流電力の供給が断たれ、光源１２は直ちに消灯する。
【００３９】
従って、このようにすれば、顕微鏡本体１に接続手段１４を介してランプハウス１１が接続され、光源１２が点灯している状態では、接続手段１４の接続にロックがかかり、顕微鏡本体１からランプハウス１１が外れない構成を実現することができる。また、顕微鏡本体１へのランプハウス１１の接続がロックされていない状態では、メインスイッチ１９をＯＮにしても、光源１２が点灯しないだけでなく、メインスイッチ１９をＯＮのまま、観察者がランプハウス１１の取り外しを行なっても、ロック解除の際に光源１２への給電路が遮断され、光源１２を強制的に消灯することができる。つまり、接続手段１４でのロック解除を行なうと、同時に光源１２が消灯されるため、ランプハウス１１を取り外す前に、確実に光源１２を消灯することができる。
【００４０】
（第２の実施の形態）
次に、本発明の第２の実施の形態を説明する。
【００４１】
この場合、本発明の第２の実施の形態に係る顕微鏡装置全体の概略構成は、図１と同様なので、同図を援用するものとする。
【００４２】
図７は、第２の実施の形態の要部の概略構成を示すもので、図１と同一部分には、同符号を付している。
【００４３】
この場合、突出部１４２ａを突出部１４１ａの中空部に確実に挿入した状態で、突出部１４１ａ側のロック用ネジ穴１４１ｃと一致する位置に設けられるロック用ネジ穴１４２ｃには、給電制御手段としてフォトインタラブタからなるセンサスイッチ２４が設けられている。
【００４４】
このセンサスイッチ２４は、図８（ａ）（ｂ）に示すように発光部２４ａ、受光部２４ｂおよび出力反転部２４ｃから構成されるもので、同図（ａ）に示すようにネジ式ロック部材２１のねじ込みが十分でない場合（またはネジ式ロック部材２１がねじ込まれていない場合）、発光部２４ａが出力した光を受光部２４ｂで受光し、受光部出力はＯＮとなり、出力反転部２４ｃを介してＯＦＦ信号が出力され、また、同図（ｂ）に示すようにネジ式ロック部材２１を十分にねじ込んでロック状態とした場合は、発光部２４ａが出力した光はネジ式ロック部材２１により遮断され、受光部２４ｂの出力はＯＦＦとなり、出力反転部２４ｃを介してＯＮ信号が出力されるようになっている。これら出力反転部２４ｃからのＯＮ／ＯＦＦ信号は、光源１２への電力変換部１６１からの直流電力の供給の許可、不許可を決定する。
【００４５】
このような構成において、いま、顕微鏡本体１にランプハウス１１が接続されていない場合は、接続部１４１の突出部１４１ａの中空部に接続部１４２の突出部１４２ａが挿入されておらず、ネジ式ロック部材２１は、ロック用ネジ穴１４１ｃと１４２ｃにねじ込まれることがないので、図８（ａ）に示すようにセンサスイッチ２４は、ＯＦＦ信号を出力する。これにより、電源部１６において、仮に、メインスイッチ１９をＯＮにしても、電力変換部１６１からの直流電力が光源１２に供給されることがないので、光源１２は点灯することがない。
【００４６】
一方、顕微鏡本体１にランプハウス１１を接続する場合、接続部１４１の突出部１４１ａの中空部に接続部１４２の突出部１４２ａを挿入し、ロック用ネジ穴１４１ｃと１４２ｃのそれぞれの位置を一致させた状態で、ネジ式ロック部材２１がねじ込んで接続部１４１の突出部１４１ａと接続部１４２の突出部１４２ａをロックすると、図８（ｂ）に示すようにネジ式ロック部材２１のねじ込み量が十分になったところで、センサスイッチ２４がＯＮ信号に切換わる。これにより、電源部１６のメインスイッチ１９をＯＮにすると、電力変換部１６１からの直流電力が光源１２に供給されるようになり、光源１２は点灯される。
【００４７】
また、この状態から、ランプハウス１１を顕微鏡本体１から取外すため、ネジ式ロック部材２１をロック用ネジ穴１４１ｃ、１４２ｃから抜き取ると、図８（ａ）に示すようになり、センサスイッチ２４は、ＯＦＦ信号を出力する。これにより、電力変換部１６１から光源１２に供給されていた直流電力が断たれ、光源１２は直ちに消灯する。
【００４８】
従って、このようにしても、第１の実施の形態と同様な効果を得られる。さらに、無接点のセンサスイッチ２４を用いたので、反復使用によるスイッチ磨耗などに原因する接点不良などを防止でき、その分保守点検を簡単にできる。
【００４９】
（第３の実施の形態）
次に、本発明の第３の実施の形態を説明する。
【００５０】
この場合、本発明の第３の実施の形態に係る顕微鏡装置全体の概略構成は、図１と同様なので、同図を援用するものとする。
【００５１】
図９は、第３の実施の形態の要部の概略構成を示すもので、図６と同一部分には、同符号を付している。
【００５２】
この場合、ランプハウス１１内には、光源１２と並列接続された反転出力素子であるインバータ２５と表示手段としての発光ダイオード２６の直列回路が設けられている。また、インバータ２５の電源端子ａは、電力変換部１６１と電源スイッチ２０の接続点に接続されている。インバータ２５は、電源スイッチ２０が閉じられているときにＯＦＦ信号、開放されているときにＯＮ信号を出力し、また、メインスイッチ１９のＯＦＦにより電力変換部１６１からの直流電力の供給が断たれると、ＯＦＦ信号を出力するようになっている。発光ダイオード２６は、ランプハウス１１表面部の観察者が発光を確認し易い場所に設けられるもので、インバータ２５がＯＮ信号を出力しているときのみ発光する。
【００５３】
このような構成において、いま、顕微鏡本体１にランプハウス１１を接続した場合、上述した図５（ｂ）に示すようにネジ式ロック部材２１のねじ込み量が十分になったところで、電源スイッチ２０がＯＮに切換わる。この状態で、電源部１６のメインスイッチ１９をＯＮにすると、電力変換部１６１の直流電力が電源スイッチ２０を介して光源１２に供給され、光源１２は点灯される。この場合、インバータ２５は、電源スイッチ２０のＯＮによりＯＦＦ信号を出力している。これにより、発光ダイオード２６は発光しない。
【００５４】
次に、メインスイッチ１９をＯＮにしたまま、顕微鏡本体１からランプハウス１１を取外すため、図５（ａ）に示すようにネジ式ロック部材２１を抜き取ると、電源スイッチ２０がＯＦＦとなる。これにより、電力変換部１６１から光源１２に供給されていた直流電力が断たれ、光源１２は直ちに消灯する。この場合、インバータ２５は、電源スイッチ２０のＯＦＦによりＯＮ信号を出力する。これにより、発光ダイオード２６は発光する。
【００５５】
その後、メインスイッチ１９をＯＦＦすると、インバータ２５への電源供給が断たれ、ＯＦＦ信号を出力するようなるので、発光ダイオード２６は消灯する。
【００５６】
従って、このようにすれば、ランプハウス１１を顕微鏡本体１から取り外し、光源１２が消灯したときに、メインスイッチ１９がＯＮ状態のままにあると、ランプハウス１１表面部に設けられた発光ダイオード２６が発光するので、観察者は、発光ダイオード２６の発光から電源部１６が投入されたままにあることを速やかに知ることができ、電源部１６の切り忘れを確実に防止することができる。
【００５７】
なお、このような第３の実施の形態の方法は、上述した第２の実施の形態のセンサスイッチ２４を設けたものにも適用することができる。また、上述では、発光ダイオード２６による表示方法を採用したが、他の表示素子として液晶などについても同様に適用可能である。さらに、ブザー等の発音手段を同時に鳴らすことで聴覚的に知らせる方法も同様に適用可能である。
【００５８】
（第４の実施の形態）
次に、本発明の第４の実施の形態を説明する。
【００５９】
この場合、本発明の第４の実施の形態に係る顕微鏡装置全体の概略構成は、図１と同様なので、同図を援用するものとする。
【００６０】
図１０は、第４の実施の形態の要部の概略構成を示すもので、図９と同一部分には、同符号を付している。
【００６１】
この場合、ランプハウス１１内には、光源１２への給電路の状態を検出する検出手段として、電源スイッチ２０が閉じられているときにＯＦＦ信号、開放されているときにＯＮ信号を出力するインバータ２５が設けられている。また、電源部１６には、メインスイッチ１９に代わって通信スイッチ２７が設けられている。この通信スイッチ２７は、通常のメインスイッチ機能の他に、外部信号による電気的なスイッチング制御が可能となっている。
【００６２】
通信スイッチ２７には、ケーブル１５を通ってインバータ２５のＯＮ／ＯＦＦ信号が印加され、インバータ２５よりＯＮ信号が与えられたとき、強制的にＯＦＦされるようになっている。つまり、インバータ２５のＯＮ信号が与えられると、通信スイッチ２７は強制的にＯＦＦされ、自動的にメインスイッチを切るようにしている。
【００６３】
このような構成において、顕微鏡本体１にランプハウス１１を接続した場合、上述した図５（ｂ）に示すようにネジ式ロック部材２１のねじ込み量が十分になったところで、電源スイッチ２０がＯＮに切換わる。この状態で、電源部１６の通信スイッチ２７をＯＮにすると、電力変換部１６１の出力が電源スイッチ２０を介して光源１２に供給され、光源１２は点灯される。この場合、インバータ２５は、電源スイッチ２０のＯＮによりＯＦＦ信号を出力している。
【００６４】
次に、通信スイッチ２７をＯＮにしたまま、顕微鏡本体１からランプハウス１１を取外すため、図５（ａ）に示すようにネジ式ロック部材２１を抜き取ると、電源スイッチ２０がＯＦＦとなる。これにより、電力変換部１６１から光源１２に供給されていた直流電力が断たれ、光源１２は直ちに消灯する。この場合、インバータ２５は、電源スイッチ２０のＯＦＦによりＯＮ信号を出力する。これにより、ＯＮ信号がケーブル１５を通って通信スイッチ２７に入力され、通信スイッチ２７は、強制的にＯＦＦされ自動的に電源部１６のメインスイッチが遮断される。
【００６５】
従って、このようにすれば、ランプハウス１１を顕微鏡本体１から取り外し、光源１２が消灯したときに、通信スイッチ２７がＯＮ状態のままにあっても、電源スイッチ２０の開放に応じたインバータ２５のＯＮ信号により、通信スイッチ２７を強制的にＯＦＦすることができるので、自動的に電源部１６のメインのスイッチを遮断することができる。これにより、電源部１６の切り忘れを確実に防止することができるとともに、利便性も向上する。
【００６６】
なお、このような第４の実施の形態の方法は、上述した第２の実施の形態のセンサスイッチ２４を設けたものにも適用することができる。また、上述では、電気的なスイッチング制御により通信スイッチ２７を切り換える説明を行ったが、機械的に切り換えるスイッチを用いることもできる。この場合、外部信号により駆動モータを制御してスイッチを機械的に切り換えることで同様の電源制御が可能である。
【００６７】
（第５の実施の形態）
次に、本発明の第５の実施の形態を説明する。
【００６８】
この場合、本発明の第５の実施の形態に係る顕微鏡装置全体の概略構成は、図１と同様なので、同図を援用するものとする。
【００６９】
図１１および図１２は、顕微鏡本体１とランプハウス１１を接続する接続手段３１を構成する顕微鏡本体１側の接続部３１１とランプハウス１１側の接続部３１２の概略構成を示している。
【００７０】
顕微鏡本体１側の接続部３１１は、突出部３１１ａを有している。この突出部３１１ａは、円筒状をなし、その中空部を投光管部２内部に連通している。突出部３１１ａの中空部内周面には、中心線に沿った方向に溝部３１１ｂが形成されている。また、突出部３１１ａの周面には、貫通穴３１１ｃが形成されている。
【００７１】
一方、ランプハウス１１側の接続部３１２は、同心円上に配置された円筒状の外側突出部３１２ａと内側突出部３１２ｂを有している。内側突出部３１２ｂは、その中空部をランプハウス１１内部に連通している。また、内側突出部３１２ｂは、その外径寸法を、突出部３１１ａの中空部の内径寸法より僅かに小さく形成されるとともに、外側突出部３１２ａの中空部の内径寸法は、突出部３１１ａの外形寸法より僅かに大きく形成されていて、これら外側突出部３１２ａと内側突出部３１２ｂの間に突出部３１１ａが挿通可能になっている。内側突出部３１２ｂの外周面には、中心線に沿った方向に、溝部３１１ｂに対応する突起部３１２ｃが形成されている。この突起部３１２ｃは、突出部３１１ａを外側突出部３１２ａと内側突出部３１２ｂの間に挿入する際に、溝部３１１ｂに挿入され、ランプハウス１１の顕微鏡本体１への接続時の取付け方向を決定するとともに、突出部３１１ａの挿入をスムーズにするためのものである。
【００７２】
外側突出部３１２ａの周面には、貫通穴３１２ｄが形成され、この貫通穴３１２ｄにロック手段としてのロックレバー３２が設けられている。このロックレバー３２は、外側突出部３１２ａと内側突出部３１２ｂの間に突出部３１１ａを確実に挿入した状態で、貫通穴３１２ｄを介して突出部３１１ａ側の貫通穴３１１ｃと一致する位置に設けられ、後述するモータ３５１の駆動により貫通穴３１１ｃを介して下方へ駆動する仕組みになっている。
【００７３】
内側突出部３１２ｂの周面のロックレバー３２に対応する位置には、給電制御手段としての電源スイッチ３３が埋設されている。この電源スイッチ３３は、ロックレバー３２が貫通穴３１１ｃを介して下方へ駆動されることで押圧されＯＮ動作するものである。
【００７４】
外側突出部３１２ａと内側突出部３１２ｂの基端部には、状態検出手段として図１３に示すようにフォトインタラブタからなるセンサスイッチ３４が設けられている。このセンサスイッチ３４は、顕微鏡本体１へのランプハウス１１の接続状態を検知するもので、発光部３４ａと受光部３４ｂを有し、常時、発光部３４ａからの光を受光部３４ｂで受光している状態では、未接続状態を表わすＯＦＦ信号を出力し、外側突出部３１２ａと内側突出部３１２ｂの間に突出部３１１ａが挿入され、発光部３４ａからの光を突出部３１１ａ先端部によりしゃ断された状態では、接続状態を表わすＯＮ信号を出力するようになっている。なお、図１３は、上述した図４と同一部分には同符号を付している。
【００７５】
図１４は、このように構成した第５の実施の形態の電気回路の概略構成を示すもので、上述した図６と同一部分には、同符号を付している。この場合、電源部１６の電力変換部１６１の出力端子には、ケーブル１５を介してランプハウス１１内の光源１２と電源スイッチ３３の直列回路が接続されている。また、この光源１２と電源スイッチ３３の直列回路と並列にロックレバー３２の駆動手段としてのロック制御回路３５が接続されている。このロック制御回路３５は、ロックレバー３２を駆動制御するためのもので、図１５に示すようにロックレバー３２を駆動するモータ３５１を駆動するためのモータドライバ３５２とバッテリー３５３が設けられている。ここで、モータドライバ３５２は、メインスイッチ１９のＯＮ／ＯＦＦの状態情報として電力変換部１６１の直流電力の有無で表わされる入力信号と、接続手段３１での接続状態を検出するセンサスイッチ３４のＯＮ／ＯＦＦ信号が与えられる。そして、メインスイッチ１９がＯＮ、つまり入力信号がＯＮの場合は、センサスイッチ３４のＯＮ信号によりモータ３５１を駆動し、ロックレバー３２を下方へ駆動して接続手段３１をロックするとともに、電源スイッチ３３をＯＮさせる。また、入力信号がＯＦＦの場合は、センサスイッチ３４がＯＮ信号であっても、モータ３５１を駆動し、ロックレバー３２を上方へ駆動して接続手段３１のロックを解除するとともに、電源スイッチ３３をＯＦＦさせる。また、モータドライバ３５２は、センサスイッチ３４がＯＦＦ信号の場合は、入力信号のＯＮ／ＯＦＦに関係なく何も動作しない。バッテリー３５３は、入力信号がＯＦＦ信号であってもロック制御回路３５を駆動させるためのものである。
【００７６】
このような構成において、顕微鏡本体１にランプハウス１１を接続する場合、外側突出部３１２ａと内側突出部３１２ｂの間に突出部３１１ａを挿入し、突出部３１１ａの貫通穴３１１ｃにロックレバー３２の位置を一致させる。これにより、センサスイッチ３４は、発光部３４ａからの光を突出部３１１ａ先端部によりしゃ断され、接続状態を表わすＯＮ信号に切換わる。
【００７７】
この状態から、電源部１６のメインスイッチ１９をＯＮにして、モータドライバ３５２への入力信号をＯＮにすると、センサスイッチ３４からのＯＮ信号により、モータドライバ３５２は、モータ３５１を駆動し、ロックレバー３２を下方へ駆動し、電源スイッチ３３をＯＮさせる。これにより、電力変換部１６１より電源スイッチ３３を介して光源１２に直流電力が供給され、光源１２を点灯させる。
【００７８】
また、電源部１６のメインスイッチ１９をＯＦＦにすると、モータドライバ３５２への入力信号がＯＦＦとなるので、モータドライバ３５２は、バッテリー３５３からの電源供給によりセンサスイッチ３４のＯＮ信号に関係なく、モータ３５１を逆方向に駆動し、ロックレバー３２を上方へ駆動して電源スイッチ３３をＯＦＦし、光源１２を消灯する。
【００７９】
さらに、顕微鏡本体１からランプハウス１１を取外して、センサスイッチ３４がＯＦＦ信号の場合は、モータドライバ３５２は、メインスイッチ１９により入力信号をＯＮ／ＯＦＦさせても、これらに関係なく何も動作せず、光源１２は消灯したままである。
【００８０】
従って、このようにすれば、顕微鏡本体１にランプハウス１１を接続してセンサスイッチ３４がＯＮ信号を出力する状態で、電源部１６のメインスイッチ１９をＯＮにすると、ロックレバー３２の駆動により自動的に接続手段３１をロックできるとともに、電源スイッチ３３のＯＮ動作により、光源１２を点灯することができる。また、メインスイッチ１９をＯＦＦにすると、ロックレバー３２による接続手段３１のロックを解除でき、同時に電源スイッチ３３がＯＦＦされることで、光源１２を消灯することができる。これにより、メインスイッチ１９により光源１２の点灯、消灯を操作すると同時に、自動的に接続手段３１のロック操作も行なうことができるようになり、利便性が向上する。このことは、顕微鏡本体１にランプハウス１１を接続しないまま、ランプハウス１１と電源部１６を接続して、メインスイッチ１９をＯＮにしてしまっても、電源スイッチ３３がＯＮになることがないので、光源１２を単体で発光させるようなことがない。また、メインスイッチ１９がＯＮ状態にある場合は、メインスイッチ１９を切る以外にロックレバー３２による接続手段３１のロック解除を行なうことができないため、装置の安全性も向上する。
【００８１】
（第６の実施の形態）
次に、本発明の第６の実施の形態を説明する。
【００８２】
この場合、本発明の第６の実施の形態に係る顕微鏡装置全体の概略構成は、図１と同様なので、同図を援用するものとする。
【００８３】
図１６は、本発明の第６の実施の形態の要部の概略構成を示すもので、図１５と同一部分には、同符号を付している。
【００８４】
この場合、ロック制御回路３５のモータドライバ３５２には、タイマ３６が接続されている。このタイマ３６は、センサスイッチ３４からＯＮ信号が与えられている状態で、メインスイッチ１９をＯＦＦしたとき、モータドライバ３５２からモータ３５１へ与えられる駆動信号を一定時間だけ遅延して出力するためのものである。
【００８５】
このような構成においても、顕微鏡本体１にランプハウス１１を接続してセンサスイッチ３４がＯＮ信号を出力する状態で、電源部１６のメインスイッチ１９をＯＮにすると、ロックレバー３２の駆動により自動的に接続手段３１がロックされるとともに、電源スイッチ３３のＯＮ動作により、光源１２を点灯することができる。また、光源１２を点灯した状態から、メインスイッチ１９をＯＦＦにすると、モータドライバ３５２は、バッテリー３５３からの電源供給によりセンサスイッチ３４のＯＮ信号に関係なく、モータ３５１を逆方向に駆動し、ロックレバー３２を上方へ駆動して電源スイッチ３３をＯＦＦする。この場合、モータドライバ３５２は、タイマ３６により、あらかじめ設定された一定時間の後に、モータ３５１に駆動信号を与え、ロックレバー３２を上方に駆動させる。つまり、メインスイッチ１９をＯＦＦにすると、光源１２が消灯してから一定時間をおいてロックレバー３２を上方へ駆動して接続手段３１がロックを解除させる。
【００８６】
従って、このようにすれば、メインスイッチ１９をＯＦＦにしてからロック解除までの時間遅延を自由に設定できるようになるので、例えば、光源１２として高電力のもので、消灯動作後にすぐに消えないようなものの場合、あらかじめ接続手段３１のロック解除までの時間設定をしておくことで、ランプハウス１１を取り外し後も、光源１２が点灯しているような状況を確実に防止することができる。
【００８７】
（第７の実施の形態）
次に、本発明の第７の実施の形態を説明する。
【００８８】
この場合、本発明の第７の実施の形態に係る顕微鏡装置全体の概略構成は、図１と同様なので、同図を援用するものとする。
【００８９】
図１７は、本発明の第７の実施の形態の要部の概略構成を示すもので、図１５と同一部分には、同符号を付している。
【００９０】
この場合、ランプハウス１１内には、振動検出手段として一定以上の振動を検知すると検知信号を出力する振動検知部３７と外部信号によりＯＮ／ＯＦＦを切り替える通信スイッチ３８が設けられている。
【００９１】
振動検知部３７は、図１８（ａ）（ｂ）に示すように振動の加速度を検知する加速度センサ３７１、設定した一定の信号レベルを出力する振動感度設定部３７２およびこれら加速度センサ３７１と振動感度設定部３７２からの２つの入力信号を比較し、入力値の大小により出力信号のＯＮ／ＯＦＦを切換えるコンパレータ３７３を有している。そして、加速度センサ３７１からの入力信号が、振動感度設定部３７２の出力信号より小さな値の場合は、図１８（ａ）に示すようにコンパレータ３７３の出力がＯＮとなって通信スイッチ３８がＯＮとなり、また、振動感度設定部３７２の出力信号より大きな値の場合は、図１８（ｂ）に示すようにコンパレータ３７３の出力がＯＦＦとなって通信スイッチ３８がＯＦＦとなるようになっている。
【００９２】
このような構成において、ランプハウス１１に大きな振動が加わることなく、加速度センサ３７１で振動が感知されなかったり、極めて微弱な振動のみが検知されるような場合、加速度センサ３７１からの入力信号は、振動感度設定部３７２の出力信号より小さな値となるので、図１８（ａ）に示すようにコンパレータ３７３の出力がＯＮとなって通信スイッチ３８がＯＮとなり、光源１２は点灯する。一方、ランプハウス１１に大きな振動が加わり、加速度センサ３７１からの入力信号が、振動感度設定部３７２の出力信号より大きな値となると、図１８（ｂ）に示すようにコンパレータ３７３の出力がＯＦＦとなって通信スイッチ３８がＯＦＦし、光源１２は直ちに消灯する。
【００９３】
従って、このようにすれば、ランプハウス１１の振動検知により、光源１２の強制的な消灯動作が可能となる。これにより、例えば、地震や落下など不慮の事故が発生したとき、ランプハウス１１の破損により、火災などが発生する虞があるが、ランプハウス１１に加わる大きな振動により、直ちに光源１２を消灯することができるので、これらの危険を未然に回避することができる。また、光源１２を点灯したままランプハウス１１の取り外しを行なったような場合も、ランプハウス１１の振動検知により、光源１２を直ちに消灯することも可能となる。
【００９４】
なお、このような第７の実施の形態の考えは、上述した第１乃至６の実施の形態にも適用することができる。
【００９５】
その他、本発明は、上記実施の形態に限定されるものでなく、実施段階では、その要旨を変更しない範囲で種々変形することが可能である。
【００９６】
例えば、上述した第１乃至７の実施の形態では、接続手段にロック手段を一体にしたものについて述べたが、別途ネジなどの接続の接続手段が存在し、それとは独立にロック手段を有する構成も可能である。また、ロック手段としてネジ式ロック手段の説明を行ったが、他のプッシュロック・キーロック・レバーロック・スライドロックなどの機械的ロック手段による構成も可能である。さらに、上述では、ロック手段を１個所のみに設けたものについて述べたが、ロック手段をを複数設ける構成も可能である。
【００９７】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００９８】
なお、上述した実施の形態には、以下の発明も含まれる。
【００９９】
（１）請求項１記載の顕微鏡装置において、ロック手段は複数有することを特徴としている。
【０１００】
（２）請求項９に記載の顕微鏡装置において、表示手段は、発光ダイオードからなることを特徴としている。
【０１０１】
（３）請求項９に記載の顕微鏡装置において、表示手段は、液晶からなることを特徴としている。
【０１０２】
（４）請求項９に記載の顕微鏡装置において、さらに、前記電源部のメインスイッチの状態に応じて音を発する発音手段を有することを特徴としている。
【図面の簡単な説明】
【０１０３】
【図１】本発明の第１の実施の形態に係る顕微鏡装置の概略構成を示す図。
【図２】第１の実施の形態に適用される接続手段の概略構成を示す図。
【図３】第１の実施の形態に適用される接続手段の概略構成を示す図。
【図４】第１の実施の形態に適用される接続手段の作用を説明するための図。
【図５】第１の実施の形態に適用される接続手段の作用を説明するための図。
【図６】第１の実施の形態に適用される電気回路の概略構成を示す図。
【図７】本発明の第２の実施の形態の要部である接続手段の概略構成を示す図。
【図８】第２の実施の形態に適用される接続手段の作用を説明するための図。
【図９】本発明の第３の実施の形態の要部である電気回路の概略構成を示す図。
【図１０】本発明の第４の実施の形態の要部である電気回路の概略構成を示す図。
【図１１】本発明の第５の実施の形態の要部である接続手段の概略構成を示す図。
【図１２】第５の実施の形態の要部である接続手段の概略構成を示す図。
【図１３】第５の実施の形態に適用される接続手段の作用を説明するための図。
【図１４】第５の実施の形態に適用される電気回路の概略構成を示す図。
【図１５】第５の実施の形態に適用されるロック制御回路の概略構成を示す図。
【図１６】本発明の第６の実施の形態に適用されるロック制御回路の概略構成を示す図。
【図１７】本発明の第７の実施の形態の要部である電気回路の概略構成を示す図。
【図１８】第７の実施の形態に適用される振動検知部の概略構成を示す図。
【符号の説明】
【０１０４】
１…顕微鏡本体、１ａ…ベース部、１ｂ…胴部
２…投光管部、３…照明光学系、４…ダイクロイックミラー
５…対物レンズ、６…レボルバ、７…標本
８…ステージ、９…鏡筒、１０…接眼レンズ
１１…ランプハウス、１２…光源
１３…レンズ系、１４…接続手段
１４１…接続部、１４１ａ…突出部、１４１ｂ…溝部
１４１ｃ…ロック用ネジ穴、１４２…接続部
１４２ａ…突出部、１４２ｂ…突起部、１４２ｃ…ロック用ネジ穴
１５…ケーブル、１６…電源部、１６１…電力変換部
１７…ＡＣケーブル、１８…コンセント
１９…メインスイッチ、２０…電源スイッチ
２１…ネジ式ロック部材、２４…センサスイッチ
２４ａ…発光部、２４ｂ…受光部
２４ｃ…出力反転部、２５…インバータ
２６…発光ダイオード、２７…通信スイッチ
３１…接続手段、３１１…接続部、３１１ａ…突出部
３１１ｂ…溝部、３１１ｃ…貫通穴、３１２…接続部
３１２ａ…外側突出部、３１２ｂ…内側突出部
３１２ｃ…突起部、３１２ｄ…貫通穴、３２…ロックレバー
３３…電源スイッチ、３４…センサスイッチ
３４ａ…発光部、３４ｂ…受光部、３５…ロック制御回路
３５１…モータ、３５２…モータドライバ
３５３…バッテリー、３６…タイマ、３７…振動検知部
３７１…加速度センサ、３７２…振動感度設定部
３７３…コンパレータ、３８…通信スイッチ
【図１】
2005326692.tif 000003
【図２】
2005326692.tif 000004
【図３】
2005326692.tif 000005
【図４】
2005326692.tif 000006
【図５】
2005326692.tif 000007
【図６】
2005326692.tif 000008
【図７】
2005326692.tif 000009
【図８】
2005326692.tif 000010
【図９】
2005326692.tif 000011
【図１０】
2005326692.tif 000012
【図１１】
2005326692.tif 000013
【図１２】
2005326692.tif 000014
【図１３】
2005326692.tif 000015
【図１４】
2005326692.tif 000016
【図１５】
2005326692.tif 000017
【図１６】
2005326692.tif 000018
【図１７】
2005326692.tif 000019
【図１８】
2005326692.tif 000020